(57)【要約】【課題】  容器から所定量の用剤を取り出し、頭皮や毛元にマッサージ作用を伴いながら繰り返し使用できる塗布容器を提供する。【解決手段】  有底の容器本体１と、容器本体１に嵌合する蓋体１０と、容器本体１に水平回動可能に嵌挿されスリット状の挿通孔２１が設けられた掻き取り栓２０と、挿通孔２１を挿通し容器本体１の底壁３近傍に達する平板部３１を有するスパチュラ３０と、を有して構成され、平板部３１の先端部に櫛歯状の突起３４を設けたことを特徴としており、掻き取り栓２０と共にスパチュラ３０を回転させることにより平板部３１に用剤Ｅが確実に付着し、スパチュラ３０を掻き取り栓２０から引き抜くことにより、平板部３１に余分に付着した用剤Ｅを掻き取り栓２０で掻き落とすと共に櫛歯状の突起部３４に所望量の用剤Ｅを保持し、櫛歯状の突起３４を毛髪の間隙から地肌へ覗かせて頭皮に刺激を与えながら毛髪の毛元が梳けるようにした。【選択図】      図１
2005080731.tif 000002
【特許請求の範囲】
【請求項１】
有底の容器本体と、前記容器本体に嵌合する蓋体と、前記容器本体に水平回動可能に嵌挿されスリット状の挿通孔が設けられた掻き取り栓と、前記掻き取り栓の挿通孔を挿通し前記容器本体の底壁近傍に達する平板部を有するスパチュラと、を有して構成され、前記平板部の先端部に櫛歯状の突起を設けたことを特徴とする育毛剤塗布容器。
【請求項２】
前記櫛歯状の突起の厚み寸法を前記平板部の厚み寸法よりも小さく設定したことを特徴とする請求項１記載の育毛剤塗布容器。
【発明の詳細な説明】
【技術分野】
【０００１】
本発明は、クリーム状や液状の育毛剤を収納し、適量の育毛剤を取り出して主として毛髪の毛元や頭皮へ供給塗布するのに好適な育毛剤塗布容器に関する。
【背景技術】
【０００２】
従来より、頭髪用剤（染髪剤や整髪料、育毛剤等）を毛髪や毛元に供給塗布する容器として、例えば、特開２００２−１３６３３２号に提示されているように、容器の頚部にブラシを取り付け、容器内の液剤をブラシの柄部の案内通路を通してブラシ歯に設けた注出口から注出し、ブラシ部を使って液剤を頭髪に塗布するタイプの塗布用ブラシ付き注出容器が知られている。
【０００３】
また、頭髪用剤の容器ではないが、特開２０００−１６８８２３号公報には、蓋に取り付けられた把持部を有する櫛を筒状の容器本体から引き抜くことにより、櫛に付着する化粧料が払拭部により適正量に調整され、蓋を把持して液状化粧料（マスカラ）を毛（睫毛）に塗布するのに好適な櫛型塗布具付き容器が開示されている。
【０００４】
上記従来例の容器は、何れも容器に付設されたブラシや櫛を使って容器内の液状の用剤を毛に供給塗布する機能を有しており、毛への塗布容器としてよく知られている。
【特許文献１】特開２００２−１３６３３２号公報
【特許文献２】特開２０００−１６８８２３号公報
【発明の開示】
【発明が解決しようとする課題】
【０００５】
しかしながら、特許文献１に記載のタイプの塗布用ブラシ付き注出容器は、染髪剤のような一回の使用で用剤を使いきって捨ててしまう頭髪用剤の容器としては好適であるが、育毛剤のように一回で使い切ることなく保管と使用を何度も繰り返し、用剤を主として毛髪の毛元や頭皮へ供給塗布するには適していない。
【０００６】
また、特許文献２に記載の櫛型塗布具付き容器は、マスカラのように櫛全体を扱いて用剤の付着量を調整し、睫毛のようなまとまった狭区域の毛に適用するには好適であるが、育毛剤のように塗布区域が広く、且つ頭皮のマッサージ作用も求められる用法には不適である。
【０００７】
本発明は、上記の問題に鑑みてなされたもので、容器から適量の用剤を取り出し、頭皮や毛元にマッサージ作用を伴いながら繰り返し使用できる育毛剤塗布容器を提供することにある。
【課題を解決するための手段】
【０００８】
本発明は、有底の容器本体と、前記容器本体に嵌合する蓋体と、前記容器本体に水平回動可能に嵌挿されスリット状の挿通孔が設けられた掻き取り栓と、前記掻き取り栓の挿通孔を挿通し前記容器本体の底壁近傍に達する平板部を有するスパチュラと、を有して構成され、前記平板部の先端部に櫛歯状の突起を設けたことを特徴としており、掻き取り栓と共にスパチュラを回転させることによりスパチュラの平板部に用剤が確実に付着し、スパチュラを掻き取り栓から引き抜くことにより、平板部に余分に付着した用剤を掻き取り栓で掻き落とすと共に櫛歯状の突起部に所望量の用剤を保持し、櫛歯状の突起を毛髪の間隙から地肌へ覗かせて頭皮に刺激を与えながら毛髪の毛元が梳けるようにした。
【０００９】
また、前記櫛歯状の突起の厚み寸法を前記平板部の厚み寸法よりも小さく設定することが好ましい。
【発明の効果】
【００１０】
本発明によれば、スパチュラを掻き取り栓から引き抜くだけで所定量の用剤を複数回に亘って取り出せると共に、スパチュラの先端に櫛歯状の突起を設けたので、突起を使った頭皮のマッサージと主として毛髪の毛元への塗布が可能となり、クリーム状、液状の育毛剤の塗布容器として極めて有用である。
【００１１】
また、スパチュラの櫛歯状の突起の厚み寸法を平板部の厚み寸法よりも小さく設定することにより、余分な育毛剤を掻き落とした後の櫛歯状の突起の部分に厚み寸法差による所望量の用剤が保持され、毛髪の間隙から毛元を梳いて毛元と頭皮へ無駄なく用剤を供給することができる。
【発明を実施するための最良の形態】
【００１２】
以下、本発明の好適な実施の形態を、添付した図面を参照しなから詳細に説明する。
【００１３】
本発明の育毛剤塗布容器は、図１乃至図２に示すように、有底の容器本体１と、前記容器本体１に嵌合する蓋体１０と、前記容器本体１に水平回動可能に嵌挿されスリット状の挿通孔２１が設けられた掻き取り栓２０と、前記掻き取り栓２０の挿通孔２１を挿通し前記容器本体１の底壁３近傍に達する平板部３１を有するスパチュラ３０と、を有して構成されている。
【００１４】
蓋体１０は、その内周壁に容器本体１の雄ネジ４と螺合する雌ネジ１１が刻設されたネジ蓋であり、頂壁１２の下面にはパッキン１３が貼着されている。
【００１５】
掻き取り栓２０は、円形の掻き取り板部２２の外縁に上端にフランジ部２３を形成した周壁部２４を立設して成る皿状の凹所２５を有する栓体であり、本体１の頚部２に水平回動可能に嵌挿されている。尚、凹所２５は、必ずしも図指した掻き取り栓２０で構成されるものではなく、例えば、板状の掻き取り栓を本体１の頚部２の内奥に回動可能に組み付け、頚部２の内壁と掻き取り栓とで凹所２５を構成しても好い（図指省略）。
【００１６】
掻き取り栓２０における掻き取り板部２２には、その中心から半径に亘ってスパチュラ３０の平板部３１が挿通可能なスリット状の挿通孔２１が穿設されている。
【００１７】
この挿通孔２１は、スパチュラ３０の平板部３１を挿通してスパチュラ３０を容器内に格納するとともに、平板部３１をしごくことにより容器本体１に充填された育毛剤からなる用剤Ｅを適量付着させて取り出す為のものであり、平板部３１の横断面とほぼ同一の大きさのスリットに設定されている。
【００１８】
従って、スパチュラ３０の平板部３１を挿通孔２１から引き抜くと、余分に付着した用剤Ｅは掻き取り板部２２で掻き落とされ、平板部３１の先端部に適量の用剤Ｅが付着して取り出される。尚、挿通孔２１は、容器本体１の内周壁に付着した用剤Ｅをスパチュラ３０の側面３１ａで掻き落とせるように、スパチュラ３０が容器本体１の内周壁にできる限り近く位置するように設定することが好ましい。
【００１９】
スパチュラ３０は、容器内に収納状態にあるとき、掻き取り栓２０の凹所２５内に位置する摘み部３２と、摘み部３２の基端部周りに形設され挿通孔２１を閉塞する為のフランジ３３部と、挿通孔２１を挿通して容器本体１の底壁３近傍に達する平板部３１と、を有し、平板部３１の先端には櫛歯状の突起３４が形成されている。
【００２０】
また、スパチュラ３０は、合成樹脂を用いて成形されており、図３に示すように、櫛歯状の突起３４の部分の厚み寸法Ｘは平板部３１の厚み寸法Ｙよりも小さく設定されている。
【００２１】
次に、上述した実施の形態の使用について説明する。容器内に格納されているスパチュラ３０の摘み部３２を摘み、容器本体１に充填された用剤Ｅに没入している平板部３１を掻き取り栓２０から引き抜くと、余分に付着した平板部３１の用剤Ｅは掻き取り栓２０によって掻き落とされる。
【００２２】
このスパチュラ３０の櫛歯状の突起３４の厚み寸法を平板部３１の厚み寸法よりも小さく設定してあることから、平板部３１から余分な育毛剤を掻き落とした後の櫛歯状の突起３４の部分に平板部３１と突起３４との厚みの寸法差による一定量の用剤Ｅが保持される。
【００２３】
したがって、スパチュラ３０を使って平板部３１を毛髪の間隙から地肌へ覗かせ、スパチュラ３０の操作により櫛歯状の突起３４で頭皮に刺激を与えながら毛髪の毛元を梳くことにより、毛元と頭皮へ無駄なく用剤Ｅを供給塗布することができる。
【００２４】
塗布作業の終了したスパチュラ３０は、その平板部３１を掻き取り栓２０の挿通孔２１に挿通して容器本体１内に戻し、容器内に格納する。そして、次に使用するときは、スパチュラ３０の摘み部３２を使ってスパチュラ３０と共に掻き取り栓２０を水平回転させ、平板部３１で用剤Ｅを掻き回すことにより平板部３１に確実に用剤Ｅを付着させ、スパチュラ３０を引き上げるだけの操作で適量の用剤Ｅを取り出すことができる。
【００２５】
尚、用剤Ｅが高粘度の為に回転操作をするスパチュラ３０への抵抗が大きい場合は、図４に示すように、掻き取り栓２０におけるフランジ部２３の下面に係合溝２７を設け、この掻き取り栓２０を容器本体１の頚部２の上端に周設した係合突起５とアンダーカット係合させて回転可能に嵌挿して構成し、掻き取り栓２０のフランジ部２３を把持して回転操作をするようにしても好い。
【００２６】
また、蓋体１０も、図１に示したネジ蓋に限るものではなく、図５に示すように、ヒンジ蓋１４付きの蓋体１０ａを使用しても好い。この蓋体１０ａは、ヒンジ蓋１４の先端部１５に指先をかけてヒンジ１６を使って開閉することができるので、蓋体１０ａを取り外すことなくスパチュラ３０の操作ができ、便利である。
【００２７】
図６に示す容器は、携帯に便利なように細身にしたものであり、掻き取り栓２０には、スパチュラ３０の付着部３１が挿通可能なスリット状の挿通孔２１がその直径に亘って穿設されている。
【００２８】
従って、スパチュラ３０の摘み部３１を摘んで水平回転させることにより掻き取り栓２０と共にスパチュラ３０も水平回転することから、平板部３１に確実に用剤が付着し、掻き取り栓２０を取り外すことなくスパチュラ３０を引き抜くだけで用剤を無駄なく取り出すことができる。
【図面の簡単な説明】
【００２９】
【図１】本発明の育毛剤塗布容器の好ましい実施の形態を示す断面図。
【図２】図１の育毛剤塗布容器を示す分解斜視図。
【図３】本発明の育毛剤塗布容器において使用されるスパチュラの櫛歯状突起の部分を示す拡大断面図。
【図４】本発明の育毛剤塗布容器に使用される別の掻き取り栓の装着状態を示す断面図。
【図５】本発明の育毛剤塗布容器に使用される別の蓋体の装着状態を示す断面図。
【図６】本発明の育毛剤塗布容器の別の実施の形態を示す断面図。
【符号の説明】
【００３０】
１  本体，３  底壁，１０  蓋体，２０  掻き取り栓，２１  挿通孔，３０  スパチュラ，３１  平板部，３４  櫛歯状の突起
【図１】
2005080731.tif 000003
【図２】
2005080731.tif 000004
【図３】
2005080731.tif 000005
【図４】
2005080731.tif 000006
【図５】
2005080731.tif 000007
【図６】
2005080731.tif 000008